(57)【要約】  【課題】  組み立てたいペット用小屋の高さに応じて、適当に収容空間を調整できるペット用小屋を自在に変化させて組み立てることができること。【解決手段】  数本の支柱と底層と上層と脇枠と数個の三又スリーブと数本のスクリュー及び数組のインナブッシュによって構成し、組み立てるべきペット用小屋の高さに応じて、本数の支柱を並べて組み立て、それぞれ順番に底層に固定し、組み立てるべき高さに応じて、予め所要数の三又スリーブを各支柱に嵌めて適当な高さに固定した後に上層を固定し、脇枠を対応する左右のスリーブにしっかりはめ込む。【選択図】  図５
0003108285.tif 000002
【実用新案登録請求の範囲】
【請求項１】
ペット用小屋の改良構造において、
主として数本の支柱と、底層と、上層と、脇枠と、複数の三又スリーブと、複数のスクリュー及び数組のインナブッシュによって構成され、
前記インナブッシュはいずれも上が小さく下が大きいテーパ状を呈し、内弧の縁に環状リブが設けてあり、
前記支柱は棒体に環状溝を設けて、適当な位置に前記インナブッシュの環状リブを相対的に嵌め込み可能であり、且つ異なる高さのペット用小屋とすることができるように支柱の両端にねじ山付の深穴を設けて、スクリューによって支柱間を延長可能に構成し、
最上層の支柱の頂端は、キャップによって塞ぎ、
底層と上層の四つ角にはテーパライナを固定して設置して、前記インナーブッシュと緊密にテーパ結合させ、
三又スリーブを前記インナーブッシュと緊密にテーパ結合し得るように全てテーパ穴に形成し、
前記三又スリーブは支柱にセットされる中間スリーブと、脇枠の組み立てに使われる左右スリーブとを具備し、
前記脇枠の両側・上下には、それぞれ所定位置に角鋼が設けられ、
角鋼の下方には、インナーブッシュの環状リブを相対的に差し込めるように環状溝を付けた短柱が固定されていると共に、対応する左・右スリーブにも緊密にはめ込むことが出来、且つ片方の脇枠に開閉できる扉を設けて、ペット用小屋を構築できるようにしたことを特徴とする、
ペット用小屋の改良構造。
【請求項２】
地面に接触する支柱に調整ボルトを取り付けたことを特徴とする、請求項１に記載のペット用小屋の改良構造。
【請求項３】
前記三又スリーブは五つ又スリーブとしたことを特徴とする、請求項１に記載のペット用小屋の改良構造。
【考案の詳細な説明】
【技術分野】
【０００１】
本考案はペット用小屋の改良構造に関し、特にペットを中に入れて良好な居住空間を提供できるペット用小屋の改良構造に関するものである。
【背景技術】
【０００２】
現在一般に見掛けるペット用小屋は、木造小屋式、或は鉄製籠式の二種類である。
木造小屋式は、板をくぎ付けして作られ、体積の大小はそのまま固定され、犬が成長して体型が比較的大きくなると、スペースが小さいため、犬の住まいとしては不適格となり、小屋を替えなければならず、しかも板でくぎ付けにすると、通風効果も比較的悪く、且つ清潔消毒に不便で、板が腐敗して壊れ易く、隙間にバイキンが生じ易く、人間や犬の健康に対しても悪い影響がある。
【０００３】
鉄製籠式は、鉄棒を溶接して作られ、設計上では木造小屋より堅固で耐用性があり、且つ通風もより良いが、全体的に鉄棒を溶接して作られているため、体積の大小もそのまま固定され、犬が成長して体型が比較的大きくなった場合、スペースが小さすぎるため、犬の住まいとしては不適格となり、小屋を替えなければならない。
従って、一般的に犬の飼い主は比較的大きい犬籠を注文し、犬の成長空間を予め残しておくため、鉄製籠式の犬小屋では、一層犬籠の体積が膨大で重たいという欠点がある。
以上の如く、従来のものには幾多の欠点があり、良い設計とは言い難く、その改良が待たれていた。
【考案の開示】
【考案が解決しようとする課題】
【０００４】
本考案の目的は、主として数本の支柱と、底層と、上層と、若干の脇枠と、数個の三又スリーブと、数本のスクリュー及び数組のインナブッシュによって構成され、ユーザーが組み立てるべきペット用小屋の高さに応じて予め所要数量の三又スリーブを各支柱にセットすることによって、適当に収容空間を調整できるペット用小屋を構成し、且つ自在に変化できる実用上の効果を達成することにある。
【課題を解決するための手段】
【０００５】
上記した目的を達成するため、本考案に係るペット用小屋は、主として数本の支柱と、底層と、上層と、若干の脇枠と、数個の三又スリーブと、数本のスクリュー及び数組のインナブッシュによって構成される、前記インナブッシュは、いずれも上が小さく下が大きいテーパ状に作られ、内弧の縁には環状リブが設けてある、支柱は、棒に環状溝が布設され、適当な位置を選んでインナブッシュの環状リブを相対的にはめ込むことが出来、且つ支柱の両端にねじ山付の深穴を設け、必要に応じてスクリューによって支柱間を延長して繋ぎ、異なる高さのペット用小屋とすることができる、そして、底層と上層の四つの角にはテーパライナが設けられ、インナブッシュと丁度良く緊密にテーパ結合できるようになっている、
三又スリーブは、いずれもテーパ穴形に作られ、これらもインナブッシュと丁度良く緊密にテーパ結合できるようになっている、三又スリーブの中間スリーブは、支柱のセット用で、左・右のスリーブは、脇枠を組み立てるためのものである、脇枠の両側上下の所定位置には、それぞれ角鋼を設け、角鋼の下方には棒体に環状溝のある短柱を設け、インナブッシュの環状リブを相対的にはめ込み、ペット用小屋を構築できるようになっている。
【考案の効果】
【０００６】
本考案はユーザーが組み立てるべきペット用小屋の高さに応じて予め所要数量の三又スリーブを各支柱にセットすることによって、適当に収容空間を調整できるペット用小屋を組み立てでき、成長するペットに応じて大きさを自在に変化しさせることができる。
【考案を実施するための最良の形態】
【０００７】
先ず、図１・２を参照して本考案に係るペット用小屋について説明する。
本考案は主として、数本の支柱２と、底層３と、上層４と、若干の脇枠５と、数個の三又スリーブ６と、数本のスクリュー７及び数組のインナブッシュ８とによって構成される。
【０００８】
前記インナブッシュ８は、いずれも上が小さく下が大きいテーパ状８１に作られ、内弧の縁には環状リブ８２が設けてある。
支柱２は、棒体に環状溝２１が設けられ、適当な位置を選んでインナブッシュ８の環状リブ８２を相対的にはめ込むことが出来る。且つ支柱の両端にねじ山付の深穴２２を設け、必要に応じてスクリュー７によって支柱２の間を延長して繋ぎ、異なる高さのペット用小屋１とすることができる。
【０００９】
又、地面と接触する支柱２は、調整ボルト２３で止め、水平調整を行うことができる。
最上層の支柱２の頂点はキャップ２４によって塞ぎ、安全及び美観の効果を達成することができる。
【００１０】
底層３及び上層４の四つ角にはテーパライナ３１・４１を設け、インナブッシュ８と丁度良く緊密にテーパ結合できるようになっている。
三又スリーブ６は、いずれもテーパ穴形６１に作られ、これらもインナブッシュ８と丁度良く緊密にテーパ結合できるようになっている。
三又スリーブ６の中間スリーブ６２は、支柱２をセットするためのものである。
【００１１】
左・右のスリーブ６３・６４は、脇枠５を組み立てるためのものである。
脇枠５の両側上下の所定位置には、それぞれ角鋼５１を設ける。角鋼５１の下方には棒に環状溝５２１を付けた短柱５２を設ける。図３に示すように、インナブッシュ８の環状リブ８２を相対的にはめ込み、且つ対応する左・右のスリーブ６３・６４にしっかりはめ込むことが出来る。
ペット用小屋の片方の脇枠５には開閉することのできる扉５３を設けて、ペットを出入りさせ又は閉じ込めることができる。
【００１２】
続いて、図４は、本考案の組み立て略図である。
組み立てる場合は、組み立てるべきペット用小屋の高さに応じて、先ず、若干本数の支柱２を並べて繋ぎ、且つ適当な高さの環状溝２１を選び、若干個数のインナブッシュ８を相対的にはめ込む。
先ず順番に底層３のテーパライナ３１に固定し、組み立てるべき高さに応じて、予め所要数量の三又スリーブ６を各支柱２にセットしておく。
【００１３】
次にインナブッシュ８によって適当な高さに固定する。しかる後、上層４のテーパライナ４１に固定して接続する。
脇枠５の短柱５２環状溝５２１とインナブッシュ８の環状リブ８２によって相対的にはめ込み、対応する左・右スリーブ６３・６４にしっかりはめ込んで、図５の組み立て図に示すようなペット用小屋１を構築する。
【００１４】
また、一定の高度に成長した中小体型のペットに対して、図６及び図７の調整前と調整後の実施例図に示すように、本考案に係るペット用小屋を適当な高さに調整できるように構成してもよい。
【００１５】
また、比較的大型のペットが既定の高さに成長したときは、図８及び図９の調整前と調整後の実施例図に示すように、本考案に係るペット用小屋を適当な高さに調整して、自在に組み立てを変化させて実用効果を達成することができる。
【００１６】
また、図１０及び図１１に示すように構成してもよい。本実施例は前述の技術手段を援用して、三又スリーブ６を五つ又スリーブ９に改め、前述方式によって脇枠５・支柱２及び関連組み合わせ部品を追加すると、ペット用小屋１を二つ以上作ることができる。
ペット用小屋１の数量を拡張できるのみならず、二つのペット用小屋１の間で支柱２を共用し、支柱２の数を減らしてコストダウンする効果がある。
本実施例では、支柱２と三又スリーブ６又は五つ又スリーブ９を丸パイプのみで表しているが、支柱２と三又スリーブ６又は五つ又スリーブ９を四角パイプ又は多角パイプで製作しても、同様に本件の実施形態を達成することができる。
【図面の簡単な説明】
【００１７】
【図１】本考案に係るペット用小屋改良構造の底層立体組み立て略図である。
【図２】前記ペット用小屋改良構造の上層及び底層立体組み立て略図である。
【図３】前記ペット用小屋改良構造の脇枠の立体構造図である。
【図４】前記ペット用小屋改良構造の組み立て略図である。
【図５】前記ペット用小屋改良構造の組み合わせ図である。
【図６】前記ペット用小屋改良構造の調整前の実施例図である。
【図７】前記ペット用小屋改良構造の調整後の実施例図である。
【図８】前記ペット用小屋改良構造の調整前の実施例図である。
【図９】前記ペット用小屋改良構造の調整後の実施例図である。
【図１０】前記ペット用小屋改良構造のもう一つの実施例における組み合わせ部品の分解図である。
【図１１】前記ペット用小屋改良構造を二つ並列組合わせした実施例図である。
【符号の説明】
【００１８】
１・・・・・・ペット用小屋
２・・・・・・支柱
２１・・・・・環状溝
２２・・・・・ねじ山付深孔
２３・・・・・調整ボルト
２４・・・・・キャップ
３・・・・・・底層
３１、４１・・テーパライナ
４・・・・・・上層
５・・・・・・脇枠
５１・・・・・角鋼
５２・・・・・短柱
５２１・・・・環状溝
５３・・・・・扉
６・・・・・・三又スリーブ
６１・・・・・テーパ穴
６２・・・・・中間スリーブ
６３、６４・・左・右スリーブ
７・・・・・・スクリュー
８・・・・・・インナブッシュ
８１・・・・・テーパ
８２・・・・・環状リブ
９・・・・・・五つ又スリーブ
【図１】
0003108285.tif 000003
【図２】
0003108285.tif 000004
【図３】
0003108285.tif 000005
【図４】
0003108285.tif 000006
【図５】
0003108285.tif 000007
【図６】
0003108285.tif 000008
【図７】
0003108285.tif 000009
【図８】
0003108285.tif 000010
【図９】
0003108285.tif 000011
【図１０】
0003108285.tif 000012
【図１１】
0003108285.tif 000013